(57)【要約】  本発明の搭載装置は、受け手段を具備する筒体２を有し、瓶若しくは同様の物品の首からの前記筒体２の取り外しに抵抗があるような方法で使用に際し前記筒体２を該首に搭載させる保持手段１４，１５を前記筒体２は内部に有し、前記受け手段はそれによって物品が使用に際し前記筒体２に保持される手段を提供するところの前記筒体２を外側に延長させてなる鍔部４を有し、前記筒体２は瓶の前記首等が当該筒体２を挿通する如き内径を有することを特徴とする。【選択図】図１
2007504059.tif 000002
【特許請求の範囲】
【請求項１】
受け手段を具備する筒体を有し、瓶若しくは同様の物品の首からの前記筒体の取り外しに抵抗があるような方法で使用に際し前記筒体を該首に搭載させる保持手段を前記筒体は内部に有し、前記受け手段はそれによって物品が使用に際し前記筒体に保持される手段を提供するところの前記筒体を外側に延長させてなる鍔部を有し、前記筒体は瓶の前記首等が当該筒体を挿通する如き内径を有することを特徴とする搭載装置。
【請求項２】
前記鍔部の最大径は前記瓶等の最大径と等しい若しくはより小さいことを特徴とする請求項１記載の搭載装置。
【請求項３】
前記鍔部は前記筒体の一端部近傍に配設されることを特徴とする請求項１又は請求項２記載の搭載装置。
【請求項４】
前記鍔部は前記筒体の長さにおける中途部に位置するものであることを特徴とする請求項１又は請求項２記載の搭載装置。
【請求項５】
前記保持手段は前記筒体内に内側に延長させた複数の歯部を有することを特徴とする請求項１乃至４のいずれかに記載の搭載装置。
【請求項６】
前記保持手段は前記筒体内に内側に延長するリブを有することを特徴とする請求項１乃至４のいずれかに記載の搭載装置。
【請求項７】
前記筒体は開封帯を有することを特徴とする請求項１乃至６のいずれかに記載の搭載装置。
【請求項８】
請求項１乃至７のいずれかに記載の搭載装置と、物品が前記鍔部に固定され若しくは少なくとも部分的に前記鍔部によって固定されていることを特徴とする搭載装置及び物品。
【請求項９】
請求項８記載の搭載装置及び物品であって、前記物品は開口容器であり、該容器の口は前記鍔部の近傍に位置することを特徴とする搭載装置及び物品。
【請求項１０】
前記容器は包装材により前記鍔部に固定されていることを特徴とする請求項８若しくは９記載の搭載装置及び物品。
【請求項１１】
前記物品は実質的に対向する一対の開口部を有するパッケージを有し、前記筒体は前記開口部を挿通し、前記鍔部は前記開口部を定める部材の近傍に位置することを特徴とする請求項８若しくは９記載の搭載装置及び物品。
【請求項１２】
請求項８乃至１１のいずれかに記載の搭載装置及び物品であって、前記物品は前記搭載装置に固定されかつ瓶若しくは同様の物品の首に搭載されることを特徴とする搭載装置及び物品。
【発明の詳細な説明】
【技術分野】
【０００１】
本発明は搭載装置に関し、瓶の首に物品を搭載させるように特に工夫されているものである。しかしながら本装置は瓶の首に似た構造物やこのような首部に似た形状の他の物体に対しても物品を搭載させることができることは明らかある。
【背景技術】
【０００２】
今日の商業活動においては、贈り物、賞品、又は販売促進用品を購入と共に進呈することが益々盛んになってきている。贈り物、賞品、又は販売促進用品は購入と別に提供されることがあり、これは例えばスーパーマーケットでのレジでの時間を増大させ、或いは贈り物、賞品、又は販売促進用品を提示することは簡単に見過ごされることがあり、顧客への不満とつながる。これら贈り物、賞品、又は販売促進用品は、購入される製品に付加されることもある。しかしながら、売られたり或いは提供される製品から、贈り物、賞品、又は販売促進用品を簡単に外すことには困難がある。もしその製品を買う報償としての役目の代わりに品物が外されてしまっていたときでは、特に贈り物、販売促進用品、又は賞品が広く販売促進に用いられている場合において、その製品を買うことへの意欲がそがれてしまうことになりうる。製品が瓶である場合には、販売促進用品、贈り物、又は賞品、或いはそれを含む包装が瓶の最大横方向の直径を超えない程度にする必要がある。もし贈り物がそのサイズよりも大きい場合には、物品を在庫したり、運送したり、陳列したりするのに、過大な容量が必要となるかもしれない。重大さはやや欠くものの考慮すべき点として、どのような特別の運搬や在庫の間でも瓶へ付加する高さは最小限にする必要がある。
【発明の開示】
【０００３】
［発明の目的］
本発明は、少なくとも前述の不便なところを未然に回避或いは抑制する方向で使用される搭載装置を提供すること、及び／又は少なくとも簡素でありながら効果的な方法で前述の要求に適合する方向で使用され、若しくは少なくとも公衆に有用な選択を提供する搭載装置を提供することを目的とする。
【０００４】
［課題を解決するための手段］
よって本発明の一概念は、受け手段を具備する筒体を有し、瓶若しくは同様の物品の首からの前記筒体の取り外しに抵抗があるような方法で使用に際し前記筒体を該首に搭載させる保持手段を前記筒体は内部に有し、前記受け手段はそれによって物品が使用に際し前記筒体に保持される手段を提供するところの前記筒体を外側に延長させてなる鍔部を有し、前記筒体は瓶の前記首等が当該筒体を挿通する如き内径を有することを特徴とする搭載装置にある。
【０００５】
好ましくは前記鍔部の最大径は前記瓶等の最大径と等しい若しくはより小さくされる。
【０００６】
また、好ましくは前記鍔部は前記筒体の一端部近傍に配設される。
【０００７】
或いは、前記鍔部は前記筒体の長さにおける中途部に位置するものである。
【０００８】
また、好ましくは前記保持手段は前記筒体内に内側に延長させた複数の歯部を有する。
【０００９】
或いは、前記保持手段は前記筒体内に内側に延長するリブを有する。
【００１０】
更に、前記筒体は開封帯を有することが好適である。
【００１１】
本発明の更なる概念によれば、先の各段落の搭載装置のいずれかと、物品とを有しており、その物品が前記鍔部に固定され若しくは少なくとも部分的に前記鍔部によって固定されていることを特徴とする。
【００１２】
好ましくは前記物品は開口容器であり、該容器の口は前記鍔部の近傍に位置する。
【００１３】
また、好ましくは前記容器は包装材により前記鍔部に固定されている。
【００１４】
或いは、前記物品は実質的に対向する一対の開口部を有するパッケージを有し、前記筒体は前記開口部を挿通し、前記鍔部は前記開口部を定める部材の近傍に位置する。
【００１５】
本発明のまた更なる概念によれば、先の段落のいずれかに記載の搭載装置及び物品であって、前記物品は前記搭載装置に固定されかつ瓶若しくは同様の物品の首に搭載されることを特徴とする。
【００１６】
本発明が関連する技術の当業者に対しては、構造上の多くの違いや本発明の広範に相違する実施形態及びその応用が、請求項に定義される本発明の範囲から逸脱することなく、それら自身を示唆するものとされる。ここでの開示や記載は純粋に説明のためであり、何ら限定する意味合いを持たせるものではない。
【発明を実施するための最良の形態】
【００１７】
本発明の望ましい形状について、図１は筒体２の形状である搭載装置１を示す。筒体２の下端は、使用に際して瓶の首のごとき首部に嵌めるように符号３の部分で広げられる。密な嵌合がより好ましい。筒体２は好ましくは鍔部４の形状を有する受け手段を持つ。この鍔部４は中央開口部５を有する環形状であるが、境界線の形状は例えば正方形、八角形、楕円形、その他の望ましい形状としても良い。
【００１８】
本搭載装置は、どのような適合する材料を用いて形成することもでき、更に後述するように、望ましくは実質的に剛性を有しながら少なくともある程度の可とう性を有するプラスチック材料から形成できる。
【００１９】
保持手段は好ましくは筒体の内側に瓶の上の装置を保持するように配される。図２の形状において、保持手段は傾斜面９と続き面１０を好ましくは有する内側に延長するリブ８の形状を有しており、続き面１０は筒体２の壁１１の平面に実質的に垂直な平面に延在される。面９の傾斜は、過度の圧力を要することなく筒体が瓶首に対して押し圧されるように選択される。よって、（使用に際し）筒体が例えば瓶の首部に対して配されるとき、環状リブ８は瓶首の膨らんだところに亘って押し付けられ、その下の部分を捉えるようにし、これによって瓶から筒体が外れることに対して実質的に抵抗する。これを生じさせるため筒体２は伸張し、或いはリブ８は筒体２が瓶首上に強いられるように変形可能とされる。
【００２０】
図３の形状では、内側に延長されるリブ８がいくつかの歯若しくは受け部１４とされ、これらはリブ８と実質的に同じ目的に供する。これら歯若しくは受け部１４は再度、傾斜面と実質的に垂直な面を有する。
【００２１】
更なる組の歯若しくは受け部１５は、図４に符号１６で示す環状突設部の下で嵌合できる歯若しくは受け部の範囲を可能とするように配することができる。
【００２２】
リブや受け部を選択される数だけ配することや、図２に示すところの内側に延長される複数のリブ８を空間的に離間して配することもでき、再度首部上での筒体２の位置の選択を与えることも可能であることは明らかである。
【００２３】
瓶上に一度配されたところでは、搭載装置１は意図的に外すことが容易ではないが、意図した時の取り外しは、プルタブ２０を配することで援助される。このプルタブ２０は材料に一対の離間した平行なスリット２１、２２を設けることで形成される。スリット２１、２２は筒体２をいくらかの距離上がるように延長され、使用に際してもし望むならば部分的に強度が弱められたものとすることができる。プルタブ２０を引っ張ることは筒体２を分割して使用時にその取り外しを助ける。
【００２４】
図４では、搭載装置１は首部２７と相対して矢印２６の方向に移動して、瓶の首部２７は受け部１４、１５若しくはリブ８によって位置決めされるまで筒体２の内穴を挿通する。
【００２５】
図５は瓶２８に位置決めされた搭載装置１を示す。
【００２６】
図６の構造は、鍔部４が筒体２の使用に際しての上端に位置していないことを除いて実質的に同様であり、むしろ中途の位置に設けられている。正確な位置は、贈り物、販売促進用品、或いは賞品の特別な要望にあわせて変えることができる。
【００２７】
図７は図６の搭載装置１が瓶２８に配されたところを示す。
【００２８】
図８は鍔部４が筒部２の使用に際しての下端に設けられているところの更なる変形例を示す。この構造においては、開封帯２０が筒体２の上端３５から延長される。
【００２９】
図９は図８の実施形態の図３と同様な図であり、受け部１４、１５の列が再び示されている。図８、図９の実施形態にも見ることができるように、受け部は実質的に図３のように配設されている。
【００３０】
図１０は瓶２８に配された図８、９の搭載装置１を示す。
【００３１】
図１１は、搭載装置１と瓶２８をグラス４０の形状をなす容器と共に分解して示すものであり、グラス４０は瓶２８との関連で、贈り物、販売促進用品、若しくは賞品、その他として使用され得るものである。よって、例えば、容器４０は瓶が開封された際のドリンキンググラスとして用いられる。
【００３２】
使用に際しては、図１０に示されるものと同様に筒体２が瓶２８の首部に配されるように搭載装置１が位置決めされる。口の端部４１が鍔部４の近傍、付近、若しくは上に配設されるように容器４０が逆にされる。次いで容器４０は包装材４２によって固定され、その包装材４２は、搭載装置１から容器４０の取り外しに実質的に抵抗する、例えばシュリンク（収縮）包装材が用いられる。
【００３３】
次いで、図１３を参照して変形例を示すものであり、真空成形で形成できるパッケージ５０は、実質的に中央部に開口５２が位置する箱部５１と、可能ならば開口５４と好ましくは当該基部５３から離れるにしたがって内側にテーパーを有して内側に延長される壁５５とを備えた基部５３と有している。
【００３４】
箱部５１はその下端部に内側に曲げられた鍔部５６を有し、基部５３が、例えば糊付け、熱融着、その他の適宜な方法で、そこに装着されるように構成される。
【００３５】
その形状が図１に示すものである場合の搭載装置１は、鍔部４が使用に際してパッケージ５０の上面５４の近傍または少なくとも近くに至るまで、整合した開口部５２、５３を介して挿通され、そしてこの構造は前述のように瓶の首に係合できる。本実施形態において、パッケージは瓶２８の肩部５８を構成する瓶の部分と、鍔部４の間に効果的に挟持される。
【００３６】
筒体２と瓶首の間の係合が満足できる場合には、パッケージが鍔部４と瓶２８の肩の間で保持されるため、筒体２がパッケージ５０を完全に貫通することは主要なことではない。
【００３７】
図１６はパッケージ５０が接着剤、熱融着、その他の望まれるものにより係合できる周辺鍔部６０によって同様な２つの部材で構成される以外は図１３から図１５の構造と同様のものである。
【００３８】
使用に際してパッケージ５０内に、贈り物、販売促進用品、若しくは賞品、或いは他のアイテムを収納できることは明らかである。
【００３９】
使用に際し、その中にアイテムを伴う容器４０やパッケージ５０のような贈り物、賞品、若しくは販売促進用品は、容器４０の場合のように搭載装置１と係合させたり、或いは搭載装置１の鍔部４と瓶２８の肩５８の間に挟持される構造とされる。搭載装置の係合は、瓶首にアイテムを付加する他のほとんどの手段を用いた場合よりも瓶首から搭載装置を外すことをより難しくする。
【００４０】
また。この構造は、搭載装置やそこに付加されるパッケージや容器の全てが瓶の水平方向若しくは横方向の最大サイズの範囲内に寸法取りすることができることは明かである。
【００４１】
また、瓶の全体の高さをそれほど増加させることなくこの構造で作ることができることは間違いないところである。例えば、飲み物用容器の場合では、もし瓶の栓機構部に近く密接に配置した場合では、この構造の全体の高さは実質その飲み物容器の底部の厚み分だけしか増加しない。
【００４２】
よって、本発明の好ましい形態において少なくとも、搭載装置は瓶のような首を有する構造物に固定するように付加される贈り物、販売促進用品、賞品、若しくはその他のアイテムを可能とするものであることが分かる。この構造物は、搭載装置と付加されるアイテムが簡単には外れないものであり、これらが陳列されているときに瓶からの窃盗者を実質的に減らすことになる。
【００４３】
しかしながら、筒体を外すように望む場合には、これは搭載装置を破壊することで可能であり、例えば、開封タブの使用により可能である。
【図面の簡単な説明】
【００４４】
【図１】図１は本発明の好ましい形態に従った搭載装置の斜視図である。
【図２】図２は図１に示したタイプの変形した構造例についての断面図である。
【図３】図３は図１に示したタイプの変形した構造例についての断面図である。
【図４】図４は瓶を伴う図１の搭載装置の分解図である。
【図５】図５は図４の構造の側面図であって、瓶上の位置に搭載装置があるものである。
【図６】図６は変形した搭載装置の図１の如き図である。
【図７】図７はその変形した搭載装置を示す図５の如き図である。
【図８】図８はまた更なる搭載装置の斜視図である。
【図９】図９は図８の搭載装置の断面図である。
【図１０】図１０は図９の搭載装置の図５や図７の如き図である。
【図１１】図１１は図４の如き図であり、図９の搭載装置とそれに付加される容器を伴うものである。
【図１２】図１２は図１１の構造をまとめて最終的なものとしたものを示す。
【図１３】図１３は図１の搭載装置と共にパッケージを示す。
【図１４】図１４は組み立てた形状の図１３の搭載装置とパッケージを示す斜視図である。
【図１５】図１５は瓶の首に配された図１４のパッケージと搭載装置を示す斜視図である。
【図１６】図１６は変形したパッケージの分解斜視図である。
【図１】
2007504059.tif 000003
【図２】
2007504059.tif 000004
【図３】
2007504059.tif 000005
【図４】
2007504059.tif 000006
【図５】
2007504059.tif 000007
【図６】
2007504059.tif 000008
【図７】
2007504059.tif 000009
【図８】
2007504059.tif 000010
【図９】
2007504059.tif 000011
【図１０】
2007504059.tif 000012
【図１１】
2007504059.tif 000013
【図１２】
2007504059.tif 000014
【図１３】
2007504059.tif 000015
【図１４】
2007504059.tif 000016
【図１５】
2007504059.tif 000017
【図１６】
2007504059.tif 000018
【国際調査報告】
2007504059.tif 000019
2007504059.tif 000020
2007504059.tif 000021